(57)【要約】【課題】レンズユニット及び撮像素子を回転させることなく組み立て及びピント調整等を行うことができる撮像装置を提供する。【解決手段】レンズを有するレンズユニット１０の鏡筒と筐体１の正面側ベース部分２ａ及び突出部分３を一体成形する。レンズユニット１０の鏡筒の外周面には雄ネジ部１１を形成する。ホルダ３０には円筒状のアジャスタ２０を回転可能に設け、アジャスタ２０の内周面に雌ネジ部２１を形成する。撮像素子４１を搭載した回路基板４０はホルダ３０のボス３２に固定する。アジャスタ２０を回転させてレンズユニット１０に螺合させることで、レンズユニット１０を光軸方向に移動させて組み立て及びピント調整等を行うことができる。【選択図】図１
2008070791.tif 000002
【特許請求の範囲】
【請求項１】
一又は複数のレンズ及び該レンズを収容する鏡筒を有するレンズユニットと、該レンズユニットを介して撮像を行う撮像素子とを備える撮像装置において、
前記レンズユニットの鏡筒の外周面には雄ネジ部が形成してあり、
内周面に前記レンズユニットの雄ネジ部に螺合する雌ネジ部が形成された筒体と、
該筒体を回転可能に保持するホルダと、
前記撮像素子が搭載され、前記ホルダに固定された回路基板と
を備えることを特徴とする撮像装置。
【請求項２】
前記筒体は、回転操作を行うための操作部を外周面に有する請求項１に記載の撮像装置。
【請求項３】
前記筒体は、外周面に周設された歯車状の操作部を有する請求項１に記載の撮像装置。
【請求項４】
前記レンズユニット、前記筒体、前記ホルダ及び前記回路基板を収容する筐体を備え、
該筐体が前記レンズユニットと一体をなす請求項１乃至請求項３のいずれか１つに記載の撮像装置。
【請求項５】
前記筐体又は前記ホルダの一方に設けられた凸部と、
前記筐体又は前記ホルダの他方に設けられ、前記凸部に係合する凹部と
を備え、
前記凸部及び前記凹部の係合により前記ホルダを前記筐体に回転不可能に係止するようにしてある請求項４に記載の撮像装置。
【請求項６】
前記ホルダに固定された前記回路基板を前記レンズユニットへ向けて付勢する付勢手段を備える請求項１乃至請求項５のいずれか１つに記載の撮像装置。
【発明の詳細な説明】
【技術分野】
【０００１】
本発明は、レンズ及び鏡筒等で構成されるレンズユニットと撮像素子とを有し、例えば車両の外界を撮像する場合などに用いられる撮像装置に関する。
【背景技術】
【０００２】
従来、車両に撮像装置を搭載し、撮像装置が撮像して取得した画像を車内に設けられたディスプレイに表示することによって、運転者へ種々の情報を提供するシステムが実用化されている。例えば、車両の運転席から死角となる部分を撮像装置により撮像することによって、運転者が直接に目視できない部分をディスプレイに表示することができるため、事故を未然に防ぐことが可能となる。これらの撮像装置は例えば車両のバンパー近傍などに搭載されるため、車両の美観を損なうことがないように撮像装置はできるだけ小型であることが望まれる。
【０００３】
図７は、従来の撮像装置の一構成例を示す模式的断面図である。図において１０１は複数のレンズ及びこれらを保持する鏡筒により構成されるレンズユニットである。レンズユニット１０１は、略円柱形をなしており、外周面の略中央から出射側の端部にかけて雄ネジ部１０２が形成してある。また、撮像装置は、レンズユニット１０１と、レンズユニット１０１を介して撮像を行う撮像素子１２１が搭載された回路基板１２２とを収容する筐体１１０を備えている。筐体１１０は、略立方体形をなし、回路基板１２２を収容するベース部１１１と、ベース部１１１の一面から突出するように設けられた円筒状の筒部１１２とにより構成してある。筐体１１０の筒部１１２の内周面には、レンズユニット１０１の雄ネジ部１０２に螺合する雌ネジ部１１３が形成してある。レンズユニット１０１の雄ネジ部１０２と筒部１１２の雌ネジ部１１３とを螺合させることで、レンズユニット１０１を筐体１１０に固定することができると共に、レンズユニット１０１を回転させることで撮像素子１２１との間の位置調整を行うことができ、ピント調整を行うことができるようにしてある。
【０００４】
特許文献１においては、一枚目のレンズが装着された外側鏡筒と、二枚目以降のレンズが装着された内側鏡筒と、これらのレンズを介して撮像を行うＣＣＤ素子と、外側鏡筒が固定され、ＣＣＤ素子を収容するカメラケースとを備えるカメラ装置が提案されている。このカメラ装置は、外側鏡筒の内周面に雌ネジ部が形成してあり、内側鏡筒の外周面に雄ネジ部が形成してある。内側鏡筒を外側鏡筒に螺合させることにより、内側鏡筒を外側鏡筒に固定することができると共に、軸心方向での位置調整を行うことができる。よって、焦点の調整が容易であるという利点がある。
【特許文献１】特開２００３−３０１２６５号公報
【発明の開示】
【発明が解決しようとする課題】
【０００５】
しかしながら、従来の撮像装置では、レンズユニット１０１を回転させて筐体１１０の筒部１１２に螺合させる必要があるため、レンズユニット１０１は円柱形など、レンズの軸心に対して回転対称な形状でなければならないという問題がある。また、異方性を有する非円形のレンズを用いる場合には、撮像素子１２１の上下左右の方向に対してレンズの上下左右の方向が定められるため、レンズユニット１０１を回転させることができないという問題がある。特許文献１に記載のカメラ装置についても同様であり、内側鏡筒を外側鏡筒に回転して螺合させる必要があるため、上述の問題を有する。
【０００６】
本発明は、斯かる事情に鑑みてなされたものであって、その目的とするところは、レンズユニットの鏡筒の外周面に雄ネジ部を形成し、撮像素子が搭載された回路基板を固定するホルダに、内周面に雌ネジ部が形成された筒体を回転可能に保持させる構成とすることにより、レンズユニットを回転させることなく筒体を回転させて雄ネジ部及び雌ネジ部の螺合を行うことでホルダにレンズユニットを保持させることができ、ピント調整を行うことができる撮像装置を提供することにある。
【０００７】
また本発明の他の目的とするところは、回転操作を行うための操作部を筒体の外周面に設ける構成とすることにより、筒体を回転させてレンズユニットを螺合させる操作が行いやすい撮像装置を提供することにある。
【０００８】
また本発明の他の目的とするところは、筒体の外周面に歯車状の操作部を設ける構成とすることにより、製造工程又は組立工程等において、筒体の操作部に噛合する歯車を有する冶具を用いて筒体及びレンズユニットの螺合を行うことができる撮像装置を提供することにある。
【０００９】
また本発明の他の目的とするところは、レンズユニット、筒体、ホルダ、撮像素子及び回路基板等を収容する筐体が、レンズユニットと一体をなす構成とすることにより、製造工程又は組立工程等において、製造又は組み立て等が容易な撮像装置を提供することにある。
【００１０】
また本発明の他の目的とするところは、筐体又はホルダの一方に凸部を設け、他方に凹部を設けて、凸部及び凹部の係合によりホルダを筐体に対して回転不可能に係止する構成とすることにより、筒体を回転させてレンズユニットに螺合させる場合に、光軸に垂直な方向に対するレンズユニットのレンズの位置ズレが生じにくい撮像装置を提供することにある。
【００１１】
また本発明の他の目的とするところは、ホルダに固定された回路基板をレンズユニットへ向けて付勢する構成とすることにより、撮像素子とレンズユニットとの位置ズレが生じにくい撮像装置を提供することにある。
【課題を解決するための手段】
【００１２】
第１発明に係る撮像装置は、一又は複数のレンズ及び該レンズを収容する鏡筒を有するレンズユニットと、該レンズユニットを介して撮像を行う撮像素子とを備える撮像装置において、前記レンズユニットの鏡筒の外周面には雄ネジ部が形成してあり、内周面に前記レンズユニットの雄ネジ部に螺合する雌ネジ部が形成された筒体と、該筒体を回転可能に保持するホルダと、前記撮像素子が搭載され、前記ホルダに固定された回路基板とを備えることを特徴とする。
【００１３】
本発明においては、レンズを収容するレンズユニットの鏡筒の外周面に雄ネジ部を形成する。また、撮像素子が搭載された回路基板を固定するホルダに筒体を回転可能に保持させ、筒体の内周面にレンズユニットの雄ネジ部に螺合する雌ネジ部を形成する。これにより、レンズユニット及びホルダを回転させることなく、筒体を回転させてレンズユニットの雄ネジ部及び筒体の雌ネジ部を螺合させることができる。よって、ホルダに固定された回路基板上の撮像素子に対してレンズホルダを光軸方向にのみ移動させてピント調整を行うことができ、他の方向について位置ズレが生じることがない。
【００１４】
また、第２発明に係る撮像装置は、前記筒体が、回転操作を行うための操作部を外周面に有することを特徴とする。
【００１５】
本発明においては、ホルダに回転可能に保持された筒体の外周面に、回転操作を行うための操作部を設ける。これにより、レンズユニットと筒体とを螺合させるための回転操作が行いやすくなる。
【００１６】
また、第３発明に係る撮像装置は、前記筒体が、外周面に周設された歯車状の操作部を有することを特徴とする。
【００１７】
本発明においては、ホルダに回転可能に保持された筒体の外周面に、回転操作を行うための歯車状の操作部を設ける。筒体の歯車状の操作部に噛合する歯車を有する冶具を用いて筒体を回転させることが可能となる。よって、製造工程又は組立工程等において、この冶具を用いてレンズユニットと筒体との螺合を行うことができ、製造又は組み立て等を自動化することが可能となる。
【００１８】
また、第４発明に係る撮像装置は、前記レンズユニット、前記筒体、前記ホルダ及び前記回路基板を収容する筐体を備え、該筐体が前記レンズユニットと一体をなすことを特徴とする。
【００１９】
本発明においては、レンズユニット、筒体、ホルダ、撮像素子及び回路基板等を収容する筐体を撮像装置が備える。このとき、筐体の一部又は全部とレンズユニットの鏡筒とを一体的に形成する。レンズユニット及び筐体を固定する必要がないため製造工程又は組立工程等を簡略化できると共に、レンズユニット及び筐体を固定するためのネジなどの他部材を必要としない。
【００２０】
また、第５発明に係る撮像装置は、前記筐体又は前記ホルダの一方に設けられた凸部と、前記筐体又は前記ホルダの他方に設けられ、前記凸部に係合する凹部とを備え、前記凸部及び前記凹部の係合により前記ホルダを前記筐体に回転不可能に係止するようにしてあることを特徴とする。
【００２１】
本発明においては、筐体又はホルダの一方に凸部を設け、他方に凹部を設けて、凸部及び凹部の係合によりホルダを筐体に対して回転不可能に係止する。筐体にレンズホルダが一体的に設けられ、ホルダに撮像素子が搭載された回路基板が固定されている場合、筐体及びホルダが回転不可能に係止されることで、レンズユニットが撮像素子に対して回転することがなく、光軸に垂直な方向に対して位置ズレが生じない。
【００２２】
また、第６発明に係る撮像装置は、前記ホルダに固定された前記回路基板を前記レンズユニットへ向けて付勢する付勢手段を備えることを特徴とする。
【００２３】
本発明においては、ホルダに固定された回路基板をレンズユニットへ向けて付勢する。これにより、回路基板、ホルダ及び筒体がレンズユニットへ押さえつけられた状態となるため、振動などの影響でレンズユニット及び撮像素子に位置ズレが生じることを防止できる。
【発明の効果】
【００２４】
第１発明による場合は、レンズユニットの鏡筒の外周面に雄ネジ部を形成し、撮像素子が搭載された回路基板を固定するホルダに筒体を回転可能に保持させ、筒体の内周面にレンズユニットの雄ネジ部に螺合する雌ネジ部を形成する構成とすることにより、レンズユニット及びホルダを回転させることなく、筒体を回転させてレンズユニットの雄ネジ部及び筒体の雌ネジ部を螺合させることができ、レンズユニットを光軸方向に移動調整してピント調整を行うことができるため、例えばレンズユニットと筐体とを一体的に成形することができるなど、撮像装置の形状の設計自由度が高まる。また、レンズユニットを構成する複数のレンズに異方性を有するレンズを含ませることが可能となるため、レンズユニットのレンズ系の設計自由度が高まる。よって、使用目的などに最適な撮像装置を提供することが可能となる。
【００２５】
また、第２発明による場合は、回転操作を行うための操作部を筒体の外周面に設ける構成とすることにより、レンズユニットと筒体とを螺合させるための回転操作が行いやすくなるため、製造工程又は組立工程等の作業を簡単化及び高速化できる。よって、撮像装置をより安価に提供することが可能となる。
【００２６】
また、第３発明による場合は、筒体の外周面に歯車状の操作部を設ける構成とすることにより、歯車状の操作部に噛合する歯車を有する冶具を用いて筒体を回転させることが可能となり、製造工程又は組立工程等にてこの冶具を用いてレンズユニットと筒体との螺合を行うことができるため、製造又は組み立て等を自動化することができる。よって、製造工程又は組立工程等をより簡単化及び高速化でき、撮像装置をより安価に提供することができる。
【００２７】
また、第４発明による場合は、レンズユニット、筒体、ホルダ、撮像素子及び回路基板等を収容する筐体の一部又は全部とレンズユニットの鏡筒とを一体的に形成する構成とすることにより、レンズユニット及び筐体を固定するためのネジなどの他部材を必要としないため、撮像装置の製造工程又は組立工程等をより簡単化できる。
【００２８】
また、第５発明による場合は、筐体又はホルダの一方に凸部を設け、他方に凹部を設けて、凸部及び凹部の係合によりホルダを筐体に対して回転不可能に係止する構成とすることにより、筒体を回転させてレンズユニットの雄ネジ部に雌ネジ部を螺合させる場合に、レンズユニットが撮像素子に対して回転することがなく、レンズユニットの撮像素子に対する位置ズレが生じにくいため、撮像装置の製造又は組み立て等をより高精度に行うことができる。
【００２９】
また、第６発明による場合は、ホルダに固定された回路基板をレンズユニットへ向けて付勢する構成とすることにより、回路基板及びホルダがレンズユニットへ押さえつけられた状態となり、振動などの影響でレンズユニット及び撮像素子に位置ズレが生じることを防止できるため、撮像装置の信頼性を高めることができる。
【発明を実施するための最良の形態】
【００３０】
以下、本発明をその実施の形態を示す図面に基づき具体的に説明する。図１は、本発明に係る撮像装置の構成を示す模式図であり、（ａ）に撮像装置の正面図を示し、（ｂ）に（ａ）のＩ−Ｉ線による断面図を示してある。また、図２は、本発明に係る撮像装置の構成を示す模式的分解図である。図において１は、撮像装置の筐体であり、例えば合成樹脂により成形されるものである。筐体１は、略直方体形をなすベース部分２と、ベース部分２の正面から突出するように設けられた円柱状の突出部分３とを有する形状をなしている。筐体１のベース部分２は、側面の正面側よりの位置にて、正面側ベース部分２ａ及び背面側ベース部分２ｂに二分することが可能にしてあり、突出部分３及び正面側ベース部分２ａは一体的に成形してある。
【００３１】
図３は、本発明に係る撮像装置の突出部分３及び正面側ベース部分２ａの構成を示す模式図であり、（ａ）に断面図を示し、（ｂ）に背面図を示してある。正面側ベース部分２ａの４つの内側面の略中央には、略矩形の板状をなすリブ４が中心へ向けて突設してある。また、筐体１内には、複数のレンズ及びこれらを収容する鏡筒により構成されるレンズユニット１０、レンズユニット１０を保持するホルダ３０及びアジャスタ２０、並びに撮像素子４１が搭載された回路基板４０等が収容してある。
【００３２】
レンズユニット１０は略円筒形の鏡筒内に複数のレンズを同軸に並べて収容したものであり、筐体１の突出部分３内に収容されると共に、入射側の端部が筐体１の突出部分３の突出端部と一体をなしている。即ち、筐体１の正面側ベース部分２ａ、突出部分３及びレンズユニット１０の鏡筒は、合成樹脂により一体成形されるものである。また、レンズユニット１０の鏡筒には、略中央から出射側の端部までの外周面に、雄ネジ部１１が形成してある。レンズユニット１０の最も入射側に配されたレンズ１２は、正面視で略円形をなしている。
【００３３】
レンズユニット１０は、ホルダ３０及びアジャスタ２０により保持するようにしてある。図４は、本発明に係る撮像装置のホルダ３０及びアジャスタ２０の構成を示す模式図であり、（ａ）に側断面図を示し、（ｂ）に背面図を示してある。ホルダ３０は合成樹脂製であり、略矩形の板状をなし、略中央に円形の開口３１が形成してある。ホルダ３０の背面の四隅には略円柱状をなすボス３２、３２…がそれぞれ突設してあり、ボス３２、３２…の突出端面にはネジ穴３２ａ、３２ａ…がそれぞれ形成してある。また、略矩形をなすホルダ３０の各辺の略中央には、略矩形の凹部３３、３３…が形成してある。なお、ホルダ３０は、筐体１のベース部分２内に収容可能な大きさにしてあると共に、ホルダ３０が筐体１内に収容された場合に、正面側ベース部分２ａの内側面にそれぞれ突設された４つのリブ４、４…が、ホルダ３０の４つの凹部３３、３３…にそれぞれ係合することができるようにしてある。リブ４、４…及び凹部３３、３３…が係合した状態では、ホルダ３０及び正面側ベース部分２ａをレンズユニット１０の光軸方向へ移動させることはできるが、光軸に垂直な方向へ移動させることはできず、また、光軸を中心に回転させることもできない。
【００３４】
ホルダ３０の開口３１には、略円筒形をなすアジャスタ２０が挿入されて嵌合するようにしてある。アジャスタ２０は、円筒の外径がホルダ３０の開口３１の内径に略等しくしてあり、内周面にはレンズユニット１０の雄ネジ部１１に螺合する雌ネジ部２１が形成してある。アジャスタ２０の外周面には、背面側の端部に一周に亘って歯車の歯を並べた態様の歯車状操作部２２が設けてある。また、軸方向について歯車状操作部２２からホルダ３０の厚さに略等しい距離を隔てた外周面に、溝２３が一周に亘って形成してある。
【００３５】
ホルダ３０の背面側から、アジャスタ２０をホルダ３０の開口３１に歯車状操作部２２がホルダ３０の背面に当接するまで挿通し、アジャスタ２０の溝２３にＣリング５０を嵌合させることにより、アジャスタ２０をホルダ３０の開口３１から抜脱不可能な状態とすることができるようにしてある。Ｃリング５０は、内径がアジャスタ２０の外径より小さく、外径がアジャスタ２０の外径より大きい円環状の金属部材を一部切り欠いた略Ｃ字形をなしており、外側へ若干撓めることによってアジャスタ２０の溝２３に嵌合させるようにしてある。Ｃリング５０をアジャスタ２０の溝２３に嵌合させることにより、Ｃリング５０がホルダ３０の開口３１の正面側の縁部分に当接し、アジャスタ２０の歯車状操作部２２がホルダ３０の開口３１の背面側の縁部分に当接して、Ｃリング５０及び歯車状操作部２２にてホルダ３０が挟まれた状態となり、ホルダ３０にアジャスタ２０が軸方向に不動に、且つ、回転可能に保持されるようにしてある。
【００３６】
また、撮像装置は、レンズユニット１０により結像される像の撮像を行うＣＣＤ又はＣＭＯＳ等の撮像素子４１と、撮像素子４１を搭載する回路基板４０とを備えている。撮像素子４１及び回路基板４０は略矩形の板状をなしており、回路基板４０の大きさはホルダ３０と略同じにしてあり、撮像素子４１は回路基板４０より小さく、回路基板４０の正面の略中央に搭載してある。回路基板４０の四隅には図示しない貫通孔がそれぞれ形成してあり、回路基板４０の４つの貫通孔に４つのネジ５５、５５…をそれぞれ挿通し、ホルダ３０の背面に突設された４つのボス３２、３２…のネジ穴３２ａ、３２ａ…に螺合させることにより、回路基板４０をホルダ３０に固定するようにしてある。
【００３７】
アジャスタ２０をホルダ３０に保持させ、回路基板４０をホルダ３０に固定し、レンズユニット１０及びアジャスタ２０を螺合させた状態で、回路基板４０を背面側から覆うように筐体１の背面側ベース部分２ｂを正面側ベース部分２ａに固定し、撮像装置の筐体１内を密閉するようにしてある。正面側ベース部２ａ及び背面側ベース部２ｂの固定は、例えば接着剤を用いた接着、熱若しくは超音波等を用いた溶着、又はネジ止め等の方法で行う。また、回路基板４０の背面と背面側ベース部分２ｂの内面との間にはコイルバネ５７が介在してあり、正面側ベース部分２ａに背面側ベース部分２ｂを固定した場合、コイルバネ５７が回路基板４０を正面側へ付勢するようにしてある。
【００３８】
次に、図２に示した複数の部品を基に撮像装置を組み立てる方法について説明する。図５及び図６は、本発明に係る撮像装置の組立方法を説明するための説明図である。なお、図５においては、（ａ）に断面図を示し、（ｂ）に背面図を示してある。また、図６には断面図のみ示してある。本発明に係る撮像装置の組み立てを行う場合、まず、ホルダ３０の背面側からアジャスタ２０を開口３１に挿通し、アジャスタ２０の溝２３にＣリング５０を嵌合させることにより、アジャスタ２０をホルダ３０に回転可能に保持させる。
【００３９】
次いで、アジャスタ２０及びレンズユニット１０の螺合を行う。このとき、一体をなす筐体１の突出部分３、正面側ベース部分２ａ及びレンズユニット１０を不動に固定し、アジャスタ２０を保持したホルダ３０を光軸方向にのみ移動可能に固定する。更に、アジャスタ２０の歯車状操作部２２に噛合する２つの歯車７０、７０を有し、光軸方向に移動可能な冶具を用いてアジャスタ２０の回転を行う。冶具に設けられた２つの歯車７０、７０は、アジャスタ２０の歯車状操作部２２を間にして噛合するようにしてあり、アジャスタ２０を両側から均等な力で回転させるようにしてある。また、冶具は歯車７０、７０の回転に伴って、撮像装置の正面側へ移動するようにしてある。
【００４０】
アジャスタ２０の雌ネジ部２１をレンズユニット１０の背面側から雄ネジ部１１に噛合させた後、冶具の歯車７０、７０を回転させることによりレンズユニット１０及びアジャスタ２０が螺合し（図５参照）、アジャスタ２０及びホルダ３０が光軸方向の正面側へ移動する。アジャスタ２０及びホルダ３０の一部が筐体１の正面側ベース部分２ａに収容され、ホルダ３０の四方に形成された凹部３３、３３…が正面側ベース部分２ａの内側面に突設されたリブ４、４…に係合する程度まで、アジャスタ２０及びホルダ３０を光軸方向へ移動させ続け、その後に冶具の歯車７０、７０の回転を停止させてアジャスタ２０及びホルダ３０の移動を停止させる。この状態では、アジャスタ２０及びホルダ３０をレンズユニット１０に対して光軸方向に移動させることはできるが、光軸方向に対して回転させることはできない。
【００４１】
次いで、撮像素子４１が搭載された回路基板４０を４つのネジ５５、５５…を用いてホルダ３０のボス３２、３２…に固定する。回路基板４０の固定を終了した後、撮像素子４１を動作させて、撮像素子４１がレンズユニット１０のレンズを介して取得する映像を基に、撮像素子４１及びレンズユニット１０の光軸方向についての位置調整、即ちピント調整を行う。ピント調整は、上述の歯車７０、７０を有する冶具を用い、同様の方法でアジャスタ２０を回転させ、アジャスタ２０、ホルダ３０及び撮像素子４１を光軸方向に微小移動させることで行うことができる（図６参照）。ピント調整を終了した後は、例えば接着剤などを用いてレンズユニット１０、アジャスタ２０及びホルダ３０を接着し、ピントにズレが生じることがないよう不動に固定する。
【００４２】
ピント調整終了後、背面側から回路基板４０を覆うように筐体１の背面側ベース部分２ｂを正面側ベース部２ａに固定する。このとき、回路基板４０と背面側ベース部分２ｂの内面との間にコイルバネ５７を圧縮して挟むことにより、回路基板４０を正面側へ付勢する。コイルバネ５７の付勢によって、回路基板４０及びレンズユニット１０等が筐体１内で振動してピントにズレが生じることを防止できる。
【００４３】
以上の構成の撮像装置においては、ホルダ３０に回転可能に設けられたアジャスタ２０の内周面に雌ネジ部２１を形成し、筐体１の正面側ベース部分２ａ及び突出部分３に一体的に設けられたレンズユニット１０の外周面に雄ネジ部１１を形成して、アジャスタ２０の回転によりレンズユニット１０及びアジャスタ２０を螺合させる構成とすることにより、回路基板４０が固定されたホルダ３０及びレンズユニット１０を回転させることなく、レンズユニット１０をホルダ３０に保持させることができると共に、回路基板４０に搭載された撮像素子４１とレンズユニット１０との光軸方向に関する位置調整、即ちピント調整を行うことができる。よって、レンズユニット１０及び撮像素子４１を回転させる必要がないため、レンズユニット１０のレンズ１２の形状を略小判型のような異方性を有する非円形とすることも可能となる。
【００４４】
また、アジャスタ２０をホルダ３０に設ける構成とすることにより、レンズユニット１０を筐体１と一体的に形成することができるため、撮像装置の製造工程又は組立工程を簡単化できる。レンズユニット１０にアジャスタ２０を設ける場合、歯車７０、７０を有する冶具でアジャスタ２０を回転させるためには、レンズユニット１０と筐体１とを一体的に形成することができない。
【００４５】
また、アジャスタ２０の外周面に歯車状操作部２２を形成することにより、歯車状操作部２２に噛合する歯車７０、７０を備える冶具にてアジャスタ２０を回転させることができ、レンズユニット１０及びアジャスタ２０の螺合と、レンズユニット１０及び撮像素子４１のピント調整とを簡単に行うことができる。
【００４６】
なお、本実施の形態においては、アジャスタ２０に形成された歯車状操作部２２を歯車７０、７０を備える冶具にて回転させる構成としたが、これに限るものではなく、その他の冶具を用いて回転させてもよく、人が手動で回転させてもよい。また、アジャスタ２０に歯車状操作部２２を設けず、滑り止め用の溝又は凹凸等の操作部を設けて手動で回転させる構成としてもよい。また、筐体１及びレンズユニット１０を一体的に成形する構成としたが、これに限るものではなく、接着、溶着又はネジ止め等により固定する構成としてもよい。
【００４７】
また、図５及び図６に示す撮像装置の組立方法では、まずリブ４及び凹部３３が係合するまでレンズユニット１０及びアジャスタ２０を螺合させ、次いで撮像素子４１が搭載された基板４０をホルダ３０に固定した後、アジャスタ２０を回転させてピント調整を行う手順としたが、これに限るものではなく、まずホルダ３０に基板４０を固定した後、レンズユニット１０及びアジャスタ２０を螺合させ、ピント調整を行う手順としてもよい。また、アジャスタ２０を回転させて、アジャスタ２０及びホルダ３０を光軸方向に移動させる構成としたが、これに限るものではなく、レンズユニット１０を光軸方向に移動させる構成としてもよい。
【００４８】
また、ホルダ３０の四方に凹部３３、３３…を形成し、正面側ベース部分２ａの内側面にリブ４、４…を突設する構成としたが、これに限るものではなく、ホルダにリブ又は凸部等を突設し、正面側ベース部分の内側面に凹部を形成する構成としてもよく、凹部及びリブ等を形成しない構成であってもよい。また、回路基板４０の背面及び背面側ベース部分２ｂの内面の間にコイルバネ５７を介在させて付勢を行う構成としたが、これに限るものではなく、板バネなどの他のバネにより付勢を行う構成としてもよく、付勢を行わない構成としてもよい。また、突出部分３の形状を円柱状としたが、これに限るものではなく、四角柱状などの他の形状としてもよい。また、レンズユニット１０のレンズ１２を略円形としたが、これに限るものではなく、矩形又は小判型等の他の形状としてもよい。
【図面の簡単な説明】
【００４９】
【図１】本発明に係る撮像装置の構成を示す模式図である。
【図２】本発明に係る撮像装置の構成を示す模式的分解図である。
【図３】本発明に係る撮像装置の突出部分及び正面側ベース部分の構成を示す模式図である。
【図４】本発明に係る撮像装置のホルダ及びアジャスタの構成を示す模式図である。
【図５】本発明に係る撮像装置の組立方法を説明するための説明図である。
【図６】本発明に係る撮像装置の組立方法を説明するための説明図である。
【図７】従来の撮像装置の一構成例を示す模式的断面図である。
【符号の説明】
【００５０】
１  筐体
２  ベース部分
２ａ  正面側ベース部分
２ｂ  背面側ベース部分
３  突出部分
４  リブ（凸部）
１０  レンズユニット
１１  雄ネジ部
１２  レンズ
２０  アジャスタ（筒体）
２１  雌ネジ部
２２  歯車状操作部（操作部）
３０  ホルダ
３１  開口
３２  ボス
３３  凹部
４０  回路基板
４１  撮像素子
５０  Ｃリング
５７  コイルバネ（付勢手段）
【図１】
2008070791.tif 000003
【図２】
2008070791.tif 000004
【図３】
2008070791.tif 000005
【図４】
2008070791.tif 000006
【図５】
2008070791.tif 000007
【図６】
2008070791.tif 000008
【図７】
2008070791.tif 000009